(57)【要約】【課題】少ないＬＥＤ素子でもって複数の棚板を照らし、コスト面などで実施化を容易に図り得る収納庫の照明装置を提供する。【解決手段】収納庫は、収納庫内の奥壁面６に沿って上下方向に延びて設けられた柱材７と、柱材７に基端が支持され、先端が収納庫内を前方に向かって延びる棚板支持部材１２と、棚板支持部材１２に支持されて収納庫内で水平状態に配置された棚板８とを備える。照明装置は、前記柱材７の前面に上下方向に沿って設けられた導光部材２１と、この導光部材２１の上端面及び下端面の少なくとも一方に光を照射するＬＥＤ素子とを備える。【選択図】図３
2015112155.tif 000002
【特許請求の範囲】
【請求項１】
収納庫内の奥壁面に沿って上下方向に延びて設けられた柱材と、この柱材に基端が支持され、先端が収納庫内を前方に向かって延びる棚板支持部材と、この棚板支持部材に支持されて収納庫内で水平状態に配置された棚板とを備えた収納庫において、
前記柱材の前面に上下方向に沿って設けられた導光部材と、
この導光部材の上端面及び下端面の少なくとも一方に光を照射するＬＥＤ素子とを備えたことを特徴とする収納庫の照明装置。
【請求項２】
前記柱材は、その前面の中央部が凹んでなる上下方向に延びる凹条溝を有し、この凹条溝に前記導光部材が嵌め込まれており、この導光部材の厚み寸法は、凹条溝の深さ寸法よりも大きく設定されていて、導光部材の前面が柱材の前面より収納庫内の前方に突出した状態で導光部材が凹条溝に嵌め込まれている請求項１記載の収納庫の照明装置。
【請求項３】
前記柱材の凹条溝の左右両側にはそれぞれ棚板支持部材の基端を取り外し可能に支持する支持部が形成されており、前記棚板支持部材は、棚板を載置して支持する支持片と、棚板の端面が当接する当接片とを有する断面Ｌ字状に形成されている請求項２記載の収納庫の照明装置。
【発明の詳細な説明】
【技術分野】
【０００１】
本発明は、玄関収納庫などの収納庫に装備される照明装置に関する。
【背景技術】
【０００２】
従来、玄関収納庫など幅寸法の大きい収納庫の場合、左右の側板の中間部で棚板を支持する支持構造が用いられている。この支持構造は、例えば特許文献１に開示されているように、収納庫内の奥壁面に沿って上下方向に延びて設けられた柱材と、この柱材に基端が取り外し可能に支持された棚板支持部材とを備え、この棚板支持部材により棚板の一端を支持するものである。
【０００３】
一方、近年、収納庫の照明装置として、棚板に物品を載せた際のデザイン性を向上させる観点から棚板に照明光を照らすものが提案されている。この種の照明装置は、例えば特許文献２に開示されているように、棚板を透光性の部材により構成するとともに、棚板の後端面に光を入射するＬＥＤ素子を配置するものである。
【先行技術文献】
【特許文献】
【０００４】
【特許文献１】特開２００７−１０５２７３号公報
【特許文献２】特開２００９−５８１１号公報
【発明の概要】
【発明が解決しようとする課題】
【０００５】
ところが、前記従来の照明装置では、照明する棚板毎にＬＥＤ素子などを必要とするために部品点数が多くなり、その分コストが高くなるなどの問題がある。
【０００６】
本発明はかかる点に鑑みてなされたものであり、その課題は、少ないＬＥＤ素子でもって複数の棚板を照らすことにより、コスト面などで実施化を容易に図り得る収納庫の照明装置を提供せんとするものである。
【課題を解決するための手段】
【０００７】
前記の課題を解決するため、本発明は、収納庫として、収納庫内の奥壁面に沿って上下方向に延びて設けられた柱材と、この柱材に基端が支持され、先端が収納庫内を前方に向かって延びる棚板支持部材と、この棚板支持部材に支持されて収納庫内で水平状態に配置された棚板とを備えたものを前提とする。そして、本発明は、収納庫の照明装置として、前記柱材の前面に上下方向に沿って設けられた導光部材と、この導光部材の上端面及び下端面の少なくとも一方に光を照射するＬＥＤ素子とを備える構成にする。
【０００８】
ここで、前記柱材は、その前面の中央部が凹んでなる上下方向に延びる凹条溝を有し、この凹条溝に前記導光部材が嵌め込まれていることが好ましい。特に、前記導光部材の厚み寸法は、凹条溝の深さ寸法よりも大きく設定されていて、導光部材の前面が柱材の前面より収納庫内の前方に突出した状態で導光部材が凹条溝に嵌め込まれていることがより好ましい。
【０００９】
また、前記柱材の凹条溝の左右両側にはそれぞれ棚板支持部材の基端を取り外し可能に支持する支持部が形成されていることが好ましい。前記棚板支持部材は、棚板を載置して支持する支持片と、棚板の端面が当接する当接片とを有する断面Ｌ字状に形成されていることが好ましい。
【発明の効果】
【００１０】
本発明における収納庫の照明装置によれば、柱材の前面に上下方向に沿って設けられた導光部材と、この導光部材の上端面及び下端面の少なくとも一方に光を照射するＬＥＤ素子とを備えるだけで、柱材に支持された各棚板を全て照明することができる。このため、部品点数を可及的に少なくしてコストの低廉化などを図ることができ、実施化を容易に図ることができるという効果を奏するものである。
【図面の簡単な説明】
【００１１】
【図１】図１は本発明の第１の実施形態に係る玄関収納庫の設置状態を示す斜視図である。
【図２】図２は図１のＸ付近を拡大した見た正面図である。
【図３】図３は図２のＹ−Ｙ線における断面図である。
【図４】図４は柱材に支持される棚板支持部材及び棚板の組み付け前の状態を示す斜視図である。
【図５】図５は同じく組み付け後の状態を示す斜視図である。
【図６】図６は棚板支持部材及び棚板の側面図である。
【図７】図７は柱材の上端側の部品配置図である。
【図８】図８は第２の実施形態に係る収納庫の柱材に支持される左右２つの棚板支持部材及び側板が同じ高さ位置で組み付けられた状態を示す斜視図である。
【図９】図９は同じく左右２つの棚板支持部材及び側板が異なる高さ位置で組み付けられた状態を示す斜視図である。
【図１０】図１０は棚板支持部材をその基端側から見た斜視図である。
【図１１】図１１は同じく棚板支持部材をその先端側から見た斜視図である。
【発明を実施するための形態】
【００１２】
以下、本発明を実施するための形態である実施形態を図面に基づいて説明する。
【００１３】
図１は本発明の第１の実施形態に係る照明装置を装備する玄関収納庫１を示す。玄関収納庫１は、前面開口に両開きでかつ２つ折りに畳まれる前扉２を有し、この前扉２の左右２つの扉部分２ａ，２ｂはそれぞれ、側板３の前縁にヒンジ結合されているとともに、天板４の前縁に設けたガイド溝５に沿って開閉動するようになっている。
【００１４】
玄関収納庫１の奥壁面を構成する背面板６には、左右の側板３間の中間位置で上下方向に延びる柱材７が固定されており、この柱材７と各側板３との間にはそれぞれ複数の棚板８が水平状態に架設されている。
【００１５】
柱材７は、金属又は合成樹脂からなる。この柱材７は、図２及び図３に示すように、所定幅で上下方向に延びる前面部７ａと、前面部７ａの左右両縁から背面板６側に直角に折り曲げられた左右一対の側面部７ｂとを有し、各側面部７ｂの後端面を背面板６に当接した状態で固定されている。
【００１６】
柱材７の前面部７ａには、その中央部を凹ましてなる凹条溝１０が柱材７の略全長に亘って上下方向に延設されているとともに、この凹条溝１０の左右両側にそれぞれ上下方向に細長い複数のスリット１１が一列にかつ所定間隔毎に設けられている。この一列の複数のスリット１１により、棚板支持部材１２の基端を取り外し可能に支持する支持部１４が構成されている。
【００１７】
一方、各棚板３の柱材７側の端部には、図４ないし図６にも示すように、棚板支持部材１２がビス止めなどにより固定されている。この棚板支持部材１２は、金属又は合成樹脂からなる。棚板支持部材１２の基端部には、それぞれ逆Ｌ字状に突出する上下２つのフック部１３ａ，１３ｂが形成されている。そして、この両フック部１３ａ，１３ｂを凹条溝１０の一側方の上下２つのスリット１１に挿入して係合することにより、棚板支持部材１２の基端は柱材７に取り外し可能に支持され、棚板支持部材１２の先端は収納庫１内を前方に向かって延びた状態になる。また、この棚板支持部材１２を介して各棚板８の一端が柱材７に支持される。尚、各棚板８の他端は、図示していないが、側板３に設けた支持部により支持されている。
【００１８】
凹条溝１０には断面矩形状の導光部材２１が嵌め込まれている。この導光部材２１は、透明なガラス又は合成樹脂からなり、凹条溝１０内に嵌め込まれて柱材７の略全長に亘って上下方向に延設されている。図３に示すように、導光部材２１の厚み寸法ｄ１は、凹条溝１０の深さ寸法ｄ２よりも大きく設定されていて、導光部材２１の前面が柱材７の前面部７ａより収納庫内の前方に突出した状態で導光部材２１が凹条溝１０に嵌め込まれている。
【００１９】
柱材７の上端側には、図７に示すように、導光部材２１の上端面に光を照射するＬＥＤ素子２２が配置されている。このＬＥＤ素子２２は、コントローラ２３により点灯が制御される。その制御としては、例えば前扉２が開けられたときそのことをセンサで検知してＬＥＤ素子２２を点灯する方式、スイッチ操作によりＬＥＤ素子２２を点灯する方式、この両方式を組み合わせた方式などが採用される。
【００２０】
前記導光部材２１、ＬＥＤ素子２２及びコントローラ２３などにより、本発明の第１の実施形態に係る玄関収納庫１の照明装置２０が構成されている。
【００２１】
次に、前記第１の実施形態の作用効果を説明する。玄関収納庫１の照明装置２０は、柱材７の前面部７ａに上下方向に沿って設けられた導光部材２１と、この導光部材２１の上端面に光を照射するＬＥＤ素子２２とを備えるだけで、柱材７に支持された各棚板８を全て照明することができる。このため、部品点数を可及的に少なくしてコストの低廉化などを図ることができ、実施化を容易に図ることができる。
【００２２】
特に、本実施形態の場合、柱材７は、その前面部７ａの中央部が凹んでなる上下方向に延びる凹条溝１０を有し、この凹条溝１０に導光部材２１が嵌め込まれて取り付けられているため、導光部材２１の取付を容易にかつ確実に行うことができる。
【００２３】
また、導光部材２１の厚み寸法ｄ１は、凹条溝１０の深さ寸法ｄ２よりも大きく設定されていて、導光部材２１の前面が柱材７の前面部７ａより収納庫１内の前方に突出した状態で導光部材２１が凹条溝１０に嵌め込まれている。このため、導光部材２１からの光を各棚板８に広く照射させることができ、照明効果を高めることができる。
【００２４】
図８及び図９は本発明の第２の実施形態に係る照明装置を装備する玄関収納庫の柱材３１とこれに支持される棚板支持部材３２及び棚板３３の取付構造を示す。柱材３１は、第１の実施形態のそれと同じく、所定幅で上下方向に延びる前面部３１ａと、前面部３１ａの左右両縁から背面板６側に直角に折り曲げられた左右一対の側面部３１ｂとを有し、各側面部３１ｂの後端面を背面板６に当接して固定されている。
【００２５】
柱材３１の前面部３１ａにはその中央部を凹ましてなる凹条溝３４が上下方向に延設されているとともに、凹条溝３４の左右両側である柱材３１の側面部３１ｂにはそれぞれ上下方向に細長い複数のスリット３５が一列にかつ所定間隔毎に設けられている。この一列の複数のスリット３５により、棚板支持部材３２の基端を取り外し可能に支持する支持部３６が構成されている。
【００２６】
一方、棚板支持部材３２は、図１０及び図１１にも示すように、棚板３３を載置して支持する支持片３２ａと、棚板３３の端面が当接する当接片３２ｂとを有する断面Ｌ字状に形成されている。この棚板支持部材３２は、支持片３２の先端部を上方に直角に折り曲げてなる先端片３２ｃを有し、この先端片３２ｃにより、支持片３２ａに載置された棚板３３の前方移動を規制するようになっている。
【００２７】
また、棚板支持部材３２は、その基端側にフック部３２ｄと、第１及び第２の拘束片３２ｅ，３２ｆとを有している。フック部３２ｄは、当接片３２ｂの後端部を支持片３２ａと反対側に直角に折り曲げてなる逆Ｌ字状のものである。第１の拘束片３２ｅは、当接片３２ｂの後端側上縁部を支持片３２ａと反対側に直角に折り曲げたものであり、第２の拘束片３２ｆは、当接片３２ｂの後端側の一部を支持片３２ａと反対側に直角に切り起こしたものである。フック部３２ｄを柱材３１の一方の側面部３１ｂのスリット３５に挿入して係合したとき当接片３２ｂの基端部が側面部３１ｂに、第１及び第２の拘束片３２ｅ，３２ｆの各端面が前面部３１ａに夫々当接して棚板支持部材３２の基端が柱材３１に支持される。
【００２８】
本発明の第２の実施形態に係る照明装置４０は、柱材３１の凹条溝３４内に嵌め込まれて柱材３１の略全長に亘って上下方向に延設された導光部材４１を備えている。この導光部材４１は、透明なガラス又は合成樹脂からなり、その出射面である正面には凹凸部からなる乱反射面４２が形成されている。
【００２９】
前記照明装置４０は、導光部材４１の外、図示していないが、第１の実施形態のそれと同じく、導光部材４１の上端面に光を照射するＬＥＤ素子と、ＬＥＤ素子を制御するコントローラとを備えている。
【００３０】
そして、前記第２の実施形態においては、第１の実施形態の場合と同様の作用効果を奏することができるのは勿論、次のような効果をも奏することができる。
【００３１】
すなわち、棚板３３の位置を変更するときには、先ず、棚板支持部材３２の基端を変更後の位置で柱材３１の凹条溝３４の一側方の支持部３６に支持させる。続いて、棚板支持部材３２の支持片３２ａに棚板３３を載置して支持させるとともに、棚板支持部材３２の当接片３２ｂに棚板３３の端面を当接させる。これにより、棚板３３の一端が棚板支持部材３２を介して柱材３１に支持される。
【００３２】
このような手順で棚板３３の位置を変更するときには、作業を容易に行うことができる上、作業中に棚板３３の端面などが柱材３１側の導光部材４１に接触することはないので、導光部材４１の損傷を防止することができる。
【００３３】
尚、本発明は前記第１及び第２の実施形態に限定されるものではなく、その他種々の形態を包含するものである。例えば前記各実施形態では、柱材７，３１の前面部７ａ，３１ａに上下方向に沿って延びる導光部材２１，４１を設けるに当たり、前面部７ａ，３１ａに凹条溝１０，３４を形成し、この凹条溝１０，３４に導光部材２１，４１を嵌め込む構成にした。しかし、本発明は、この構成に限らず、単に柱材７，３１の前面に取付金具を介して導光部材２１，４１を取り付ける構成にしてもよい。
【００３４】
また、前記各実施形態では、導光部材２１，４１の上端面に光を照射するＬＥＤ素子２２を備える構成にしたが、本発明は、このＬＥＤ素子の代わりに、或いはこのＬＥＤ素子と共に、導光部材の下端面に光を照射するＬＥＤ素子を備える構成にしてもよい。
【００３５】
さらに、前記各実施形態では、本発明の照明装置を、収納庫１の背面板６の、左右の側板３間の中間位置に上下方向に延びる柱材７を固定し、この柱材７と各側板３との間にそれぞれ複数の棚板８を水平状態に架設する玄関収納庫１に適用した。しかし、本発明の照明装置は、収納庫１の奥壁面６の、側板の近傍位置と中間位置とに夫々上下方向に延びる柱材を設け、この両柱材間に複数の棚板を水平状態に架設する玄関収納庫などにも同様に適用することができるのは勿論である。
【符号の説明】
【００３６】
１    玄関収納庫
６    背面板（奥壁面）
７，３１    柱材
８，３３    棚板
１０，３４    凹条溝
１２，３２    棚板支持部材
１４，３６    支持部
２０，４０    照明装置
２１，４１    導光部材
２２    ＬＥＤ素子
３２ａ  支持片
３２ｂ  当接片
【図１】
2015112155.tif 000003
【図２】
2015112155.tif 000004
【図３】
2015112155.tif 000005
【図４】
2015112155.tif 000006
【図５】
2015112155.tif 000007
【図６】
2015112155.tif 000008
【図７】
2015112155.tif 000009
【図８】
2015112155.tif 000010
【図９】
2015112155.tif 000011
【図１０】
2015112155.tif 000012
【図１１】
2015112155.tif 000013